(57)【要約】【課題】家庭における侵入犯対策として、ガラスを破って内カギを開ける手荒な手口やベランダ窓から入る空き巣狙い等、侵入犯の多様化に対抗する新たな防犯装置として、テグスを用いたバリアーを感知機能として、予期しない警報ベルを鳴らせて退散させる効果を得る。【解決手段】ガラス窓１の内側下部に、線路模様に組んだレール糸３及び枕木糸４と側線糸５をバリアー状に張って感知機能とし、チューリップ花型振り子板９の稜線部１０に接するマイクロスイッチ１２のローラ部１３に連動してオンオフし、警報ベル２５を鳴らせるよう構造して取り付ける。【選択図】　図１
2004102368.tif 000002
【特許請求の範囲】
【請求項１】
ガラス窓（１）など開口部の内側下部に、線路模様に形成したレール糸（３）及び枕木糸（４）と側線糸（５）を、制御器ケース（６）の内部に装置した振り子板（９）から、向かい側の糸巻きケース（７）に内包した糸巻きコマ（１７）に渡ってバリアー状に張り巡らせて感知機能とし、前記振り子板（９）の頭部に形成した稜線部（１０）に接する、マイクロスイッチ（１２）の可動ローラ部（１３）を介して、警報ベル（２５）を鳴らせる不法侵入警報装置。
【請求項２】
バリアーを張るための線路模様組み糸の形状は、２本のレール糸（３）の数カ所に枕木糸（４）を渡し、さらに、レール糸（３）から分岐して伸びる側線糸（５）を設けて、それぞれが独自の働きを持って感知機能を発揮する構造の請求項１記載の不法侵入警報装置。
【請求項３】
上記２本のレール糸（３）は、チュウリップ花型形成の振り子板（９）を始発として対面する糸巻きコマ（１７）まで渡し、前記振り子板（９）の稜線部（１０）に、マイクロスイッチ（１２）の可動ローラ部（１３）を連動させて、マイクロスイッチ（１２）をオンにして警報ベル（２５）を鳴らせる請求項１記載の不法侵入警報装置。
【請求項４】
上記稜線部（１０）は、バリアーの感知機能に連動して左右に動く構造で、引きバネ（１４）を装置して一方に引き、反対側に引かれるレール糸（３）との相対引力のバランスで左右に振り子に動く構造であり、花型部中央に溝穴（１５）を削って中央に止めビスを挿し、振り子板（９）の過剰振幅を抑止するよう、制御器ケース（６）に取り付けた請求項１記載の不法侵入警報装置。
【請求項５】
糸巻きケース（７）は、糸巻きコマ（１７）を上下の切り口からそれぞれ挿入して２本のレール糸（３）の端末を結ぶ構造で、前記糸巻きコマ（１７）に回転ハンドル（１８）を備えて、レール糸（３）の長さを調節するよう構造した請求項１記載の不法侵入警報装置。
【発明の詳細な説明】
【０００１】
【発明の属する技術分野】
本発明は、ガラス窓など開口部内側にバリアー状に張り巡らせた糸に感知機能を持たせて、外敵がガラス窓の破壊や錠ロックを外して侵入しようとしても、次なる防犯対策としてバリアーが機能して、警報ベルを鳴らせる不法侵入警報装置に関する。
【０００２】
【従来の技術】
従来、家庭用の防犯機器対策は、窓や扉の二重ロックやセンサー機器等が多いが、現代では侵入犯がほぼ予知出来る範囲であるため、強行突破の手口が横行して完全防備が難しくなり、特に、白昼婦女子の一人住まいを狙った巧妙な手口等に対する防犯対策が無かった。
【０００３】
【発明が解決しようとする課題】
従来の家庭用の防犯機器対策では、留守中の盗難防止に重点を置いた二重ロックやセンサーでも破られたり、白昼在宅中でもベランダから侵入されたり、寸時の外出時の空き巣狙い等、あらかじめ家族の動向を調査して侵入するような巧妙な手口も多くなり、２４時中不法侵入を見張れない問題点があった。
【０００４】
本発明は、ガラス窓など開放口の内側下部に、殆ど透明なテグスを用いてバリアー状に張ることで、外敵が窓を無理やり開けて半分侵入しても、次なる防犯装置のバリアーに手足を引っ掛けて警報ベルが鳴り、さらに、バリアーに気づいて切断した場合にも警報ベルが鳴る仕組みで、予期しない音響で驚かせる方法により、従来の防犯対策の盲点をも補完できる警報装置を、安価に提供することを目的としている。
【０００５】
【課題を解決するための手段】
上記目的を達成するため、本発明のバリアー状組み糸は、上下２本のレール糸を機軸に線路模様に枕木糸及び側線糸を組み合わせて形成し、ガラス窓やドアの内側に警備が必要な時間帯に、バリアーを張り巡らせるものである。
【０００６】
そして、組み糸の素材は、殆ど透明で伸縮や変形の少ないテグスを用いて、ガラス窓の内側の窓外枠の柱から柱へ渡して張るので、外から発見することは難しく、不意を突く警報ベルが効果的である。
【０００７】
また、上下に２枚つないだチュウリップ花型振り子板から、同じ高さ幅に対面して設けた糸巻きコマに向けてバリアー状にレール糸を張ることで、上と下で別々の感知機能を発揮する効果がある。
【０００８】
また、上記感知機能の内、レール糸と枕木糸との三叉の効用で、引き違い戸の一方の引き開きを感知し、側線糸は引掛け鉤を先端に付けてサッシに取り付けたフックや網戸に直接引っ掛けて、反対側の引き開きを感知するよう取り付ける。
【０００９】
そして、線路模様に張る枕木糸は、２本のレール糸の中間に、よろい結びで輪を作って糸を渡し、２本のレール糸の間合いを保ちながら、侵入犯がもぐりこむ透き間を与えないよう適当な間隔で数カ所に設けている。
【００１０】
さらに、花型振り子板は頭部に稜線部を形成してマイクロスイッチに連動する装置で、振り子板には引きバネを装置して片方に引き、糸通し穴から反対側に引かれるレール糸との相対引力のバランスでが崩れたときに左右何れかに振り子板が動いて、マイクロスイッチがオンになり警報ベルが鳴るよう構造している。
【００１１】
また、上記稜線部形成は、中央を若干高くしてマイクロスイッチの可動ローラ部を押し上げてオフとし、左右の稜線カーブは若干低くしてマイクロスイッチをオンにするように、マイクロスイッチの端子を選んで電気コードを配線する。なお、一旦振り子板が動いた後に、必要の無い機能の引きバネによる復元の動きをセーブするため、前記左右の稜線カーブを急坂状態にし、警報ベルの継続性につなげて周囲の通行人や隣人に知らせることで、より高い防犯の効果が得られる。
【００１２】
また、上記振り子板とマイクロスイッチを装置する長方形の制御器ケースは、振り子板の稜線部とマイクロスイッチ可動ローラ部が接する高さを調整し、振り子板がスムーズに左右に動くようケース底部を部分底上げし、振り子板を縦に２個逆さにつないで根元をリベットで軽く止め、この振り子板の過剰振幅を抑止する溝穴を中央に設ける構造としている。
【００１３】
さらに、円筒の糸巻きケースは、上下の口から糸巻きコマを挿入する構造で、該糸巻きコマの上部に備えた手動ハンドルを廻して、バリアーのレール糸の長さを調節しながら後戻りしないよう止めネジを取りつけている。
【００１４】
また、上記糸巻きケースは、台座を取り付けて一体の物として扱い、該台座の裏と糸巻きケースを取り付ける柱とが接着する形に、双方にフックを取り付けて移動自在とし、バリアーの全脱着や半脱着でも容易にできる構造としている。
【００１５】
【発明の実施の形態】
発明の実施の形態を実施例にもとづき図面を参照して説明する。
図１において、ガラス窓１など開口部内側下部に、制御器ケース６から糸巻きケース７にかけてバリアー状に組み糸を張るため、線路模様に２本のレール糸３を張り、該レール糸３からほぼ直角に枕木糸４を適当な間隔に渡して、ガラス面に取り付けたフック８に掛け、また、側線糸５を分岐して中央サッシ２に取り付けたフックまで伸ばす形状とし、それぞれ感知機能を発揮させ警報ベル２５を鳴らせる。該警報ベル２５は、乾電池を電源として手の届かない鴨居上や屋外の軒下に設置して、電気コード２６でマイクロスイッチ１２につなぎ、誤作動防止の電源スイッチ２７を取り付ける。
【００１６】
図２に示される実施例では、稜線部１０を形成したチューリップ花型の振り子板９を、上下に２枚つないで根元をリベット１１で軽く止め、それぞれが振り子状に動く構造として制御器ケース６の底上げ部２４に平面に取り付ける。前記稜線部１０にマイクロスイッチ１２の可動ローラ部１３が接触する位置に装置して、上下それぞれのマイクロスイッチ１２を起点に、電気コード２６で警報ベル２５につなぐ。そして、前記振り子板９に引きバネ１４を装置して、反対側に穴を開けてレール糸３を結び、花型部中央に溝穴１５を削って振り子板９の過剰振幅を抑止し、さらに制御器ケース６の一角にレール糸３を支える回転コマ１６を装置したものであり、これらの感知機能連動部品を一括して制御器ケース６に組み立て、ガラス窓外枠の柱等にしっかり取り付ける。
【００１７】
図３に示される実施例では、円筒の糸巻きケース７の上下の切り口から糸巻き１７を挿入する構造で、該糸巻きコマ１７はレール糸３の端を結んで、回転ハンドル１８を回しながらレール糸３が緊張状態に張られるよう長さを調節し、該調節後の糸の張りが一定に保つよう止めネジ１９で回転を止める。糸巻きケース７は、差し込みフック２２を備えた台座２０との間に平板を挟んでネジ２１で連結して、台座２０と糸巻きケース７を一体として扱い、窓外枠の柱等に取り付けたフックに引っ掛けてバリアーを張る。なお、前記糸巻きケース７の切り口に挿入した糸巻きコマが上下にずれないよう、前記止めネジ１９が機能している。
【００１８】
【発明の効果】
本発明は、以上説明したように構成されているので、以下に記載されるような効果を奏する。
【００１９】
バリアー状に張った糸と花型振り子板並びにマイクロスイッチを介して鳴る警報ベルとの組み合わせにより、感知機能が正確に働いて音響による襲撃で侵入犯を驚かせて退散させる装置で、従来の防犯機材にプラスして配置することで、より大きな犯罪抑止効果が得られる。
【００２０】
バリアー状に張る組み糸の形状は、線路模様にレール糸と枕木糸及び側線糸を組み合わせるもので、２本のレール糸は幅３０センチメートル程度の間隔をもつように張り、その中の数カ所に枕木糸を渡すことにより、侵入犯がバリアーに触れずにくぐり抜けが出来ない効果が得られる。
【００２１】
上記バリアー状組み糸の素材は、殆ど透明で細いテグスを用いることで侵入犯が事前に気づかない利点があり、例えば、ガラス窓の施錠を忘れた場合にやすやすと窓が開いても、窓の内側に取り付けたバリアーに引っ掛かり、警報ベルの音響による奇襲攻撃に驚いて退散する効果が得られる。
【００２２】
また、２本のレール糸はそれぞれ独立した感知機能を発揮するよう、上下別々に装置した振り子板から、向かい側の糸巻きコマに渡って張るので、上下何れかのレール糸に感知不全等のトラブルが発生しても、片方でカバーできる効果が得られる。
【００２３】
上記振り子板の頭部に稜線部を形成し、マイクロスイッチの可動ローラ部が稜線部に波乗り状にタッチしながら移動してオンオフする構造とし、バリアーを張るときは可動ローラ部が中央の窪みに安定するように、糸巻きコマのハンドルを廻してレール糸の長さを調節する。この姿勢において、侵入犯がバリアーに接触したり切断する行為に連動して、可動ローラ部が左又は右の窪みに移動する仕組みであり、振り子板１枚で多機能な感知に対応が出来る利点がある。
【００２４】
上記稜線部の形成は、可動ローラ部が平常時に定置する中央の窪みは鍋底型とし、左右の窪みより少し高くしてマイクロスイッチがオフ位置になるよう装置し、左右の何れかの窪みに可動ローラ部が移動したときマイクロスイッチがオン位置になって警報ベルが鳴る構造で、振り子板とマイクロスイッチの簡単な組み合わせで確実に警報ベルに感知機能を伝えられる効果が得られる。
【００２５】
バリアーの感知機能発生の主たるメカニズムは、引き違い戸を開けたときに反応する装置で、図１に示す左側の窓を右に引くと、２本のレール糸を支えているフックも同時に右に動いて枕木糸との三叉部に引っ掛かり、これが障害となって引っ張られるレール糸に連動して振り子板が動く。また、右側の窓を左に引くと、中央サッシに備えたフックも左に動いて、レール糸から分岐して掛けた側線糸が引っ張られて振り子板に連動する構造としている。
【００２６】
なお、網戸だけの窓開き状態でも、側線糸の先端に付けた鉤を網に直接引っ掛けることで、上記の左側の窓を開けたときと同じ効果が得られる。また、侵入犯が事前にバリアーに気づいてレール糸を切断したり、糸巻きケースをフックから外したときは、振り子板に装置した引きバネの引力で振り子板が自動的に動き、マイクロスイッチに連動して警報ベルが鳴る効果が得られる。
【００２７】
但し、切断された糸を復元するまで、警報ベルが鳴り止まないのでは近所迷惑も考えられるので、タイマースイッチを装置する方法も可能であり、屋内外に鳴り響く音で侵入犯を退散させると同時に、近隣に警報する効果も得られるので、マンション等の防犯装置としても利用価値が広がる効果が得られる。
【００２８】
また、図１に示すバリアーは２本のレール糸を機軸としているが、振り子板も糸巻きコマも上下の２個に結んで組み立てているので、上下を分割した構造でレール糸１本のバリアーも可能である。例えば、レール糸１本の簡単な装置は階段の上り口に張って室内ブザーで乳児の立ち入り監視の装置や、玄関口に縦に張って居直り強盗に備える等の活用方法で、多機能的利用価値が得られる。
【００２９】
バリアーの不要なときは、ベルの誤差同防止電源スイッチをオフにして、台座に付けたままの糸巻きケースを柱から外して、両手でくるくる廻してテグスを全体に巻き付けて準備し、糸巻きコマの上部に取り付けた収納用ヒートンを釘にぶら下げるだけのワンタッチ操作で収納できるし、バリアーの一時撤収でも同じ作業で容易に脱着が可能である。
【００３０】
警報ベルの電源は乾電池式としているが、無線用ＩＣチップによるコードレス装置を採用すれば、１個の警報ベルで複数の開放口に設置したマイクロスイッチと連携できる効果が得られる。
【００３１】
この警報装置に用いる素材は、市販の機材を使用するベル関係装置とマイクロスイッチ以外は殆ど合成樹脂で製造可能であり、大量生産によるコスト低下が図れる効果が得られる。
【図面の簡単な説明】
【図１】ガラス窓にバリアーを装置した平面図である。
【図２】制御器ケース内部平面図である。
【図３】糸巻きケース断面図である。
【符号の説明】
１　　ガラス窓
３　　レール糸
４　　枕木糸
５　　側線糸
９　　振り子板
１０　　稜線部
１２　　マイクロスイッチ
１３　　可動ローラ部
１４　　引きバネ
１７　　糸巻きコマ
２５　　警報ベル
【図１】
2004102368.tif 000003
【図２】
2004102368.tif 000004
【図３】
2004102368.tif 000005